【事件の表示】
　特願２００７−３２２４９２「実質的に同様のメディアコンテンツを有する複数のファイルから再生用のメディアファイルを選択するシステム」拒絶査定不服審判事件〔平成２０年　７月　３日出願公開、特開２００８−１５２２５９〕について、次のとおり審決する。
【結　論】
　本件審判の請求は、成り立たない。
【理　由】
第１．手続の経緯 
　本願は、平成１９年１２月１３日（パリ条約に基づく優先権主張　平成１８年１２月１４日　平成１９年１１月２９日）の出願であって、平成２４年１２月１２日付け拒絶理由通知に対する応答時、平成２５年３月１３日付けで意見書のみ提出され、同年５月２日付け拒絶理由通知に対する応答時、同年７月３０日付けで手続補正がなされたが、平成２６年１月３１日付けで拒絶査定がなされ、これに対して、同年６月３日付けで拒絶査定不服審判の請求及び手続補正がなされたものである。
 　 
第２．平成２６年６月３日付けの手続補正についての補正却下の決定 
［補正却下の決定の結論］ 
　平成２６年６月３日付けの手続補正を却下する。 
［理　由］ 
１．補正後の本願発明 
　平成２６年６月３日付けの手続補正（以下、「本件補正」という。）により、本件補正前の特許請求の範囲の請求項２、１２、２１が削除され、また、本件補正後の特許請求の範囲の請求項１８については、
本件補正前には、
「【請求項２０】
　メディアシステムを動作する方法であって、該方法は、
　異なる再生特性を伴う実質的に同一のメディアコンテンツを有する２つ以上のメディアファイルを提供することであって、該２つ以上のメディアファイルの該異なる再生特性のうちの少なくとも一部は、データベースに格納される、ことと、
　該再生特性のうちの１つ以上に基づいて、該２つ以上のメディアファイルのうちの１つを再生のために選択することと
　を包含する、方法。」
とあったものが、
「【請求項１８】
　メディアシステムを動作する方法であって、該方法は、
　異なる再生特性を伴う実質的に同一のメディアコンテンツを有する２つ以上のメディアファイルを提供することであって、該２つ以上のメディアファイルの該異なる再生特性のうちの少なくとも一部は、データベースに格納される、ことと、
　該再生特性のうちの１つ以上
と、該２つ以上のメディアファイルのうちの少なくとも１つのビットレートと、ユーザによる該メディアコンテンツの選択と
自動的に
　を包含する、方法。」
と補正された。
　
　上記補正は、 
　ア．本件補正前の請求項２０に記載された発明を特定するために必要な事項である「２つ以上のメディアファイルのうちの１つを再生のために選択すること」について、「該再生特性のうちの１つ以上」に加えてさらに「該２つ以上のメディアファイルのうちの少なくとも１つのビットレートと、ユーザによる該メディアコンテンツの選択」とに基づいて、「自動的に」行われる旨の限定を付加するものである。 
　よって、本件補正は、特許法第１７条の２第５項第１号に掲げる請求項の削除、及び第２号に掲げる特許請求の範囲の減縮を目的とするものに該当する。 
　
２．独立特許要件について
　そこで、本件補正後の上記請求項１８に記載された発明（以下、「本願補正発明」という。）が特許出願の際独立して特許を受けることができるものであるか（特許法第１７条の２第６項において準用する同法第１２６条第７項に規定する要件を満たすか）否かについて以下に検討する。 
 　 
２−１．特許法第３６条第６項第２号違反
（１）請求項１８において、「該
再生特性のうちの１つ以上
少なくとも１つ
 (a)「該再生特性のうちの１つ以上」と「ビットレート」との関係が不明確である。つまり、「ビットレート」も「再生特性のうちの１つ」であるはずであり、ここでいう「該再生特性のうちの１つ以上」というのが、「ビットレート」も含み得るのか、あるいは「ビットレート」を除いた別の再生特性のことを意味するのかが不明確である。
 (b)また、「該２つ以上のメディアファイルのうちの
少なくとも１つ
１つのみ
 (c)そもそも、「該再生特性のうちの１つ以上」と「該２つ以上のメディアファイルのうちの少なくとも１つのビットレート」と「ユーザによる該メディアコンテンツの選択」との３つにどのように基づいて、「２つ以上のメディアファイルのうちの１つを再生のために自動的に選択する」するのかが技術的にみて不明確である。
　したがって、請求項１８に係る発明は明確なものでない。
　
（２）なお、請求項１８の上記「該再生特性のうちの１つ以上と、該２つ以上のメディアファイルのうちの少なくとも１つのビットレートと、ユーザによる該メディアコンテンツの選択とに基づいて、該２つ以上のメディアファイルのうちの１つを再生のために自動的に選択すること・・」なる記載によれば、「ユーザによる該メディアコンテンツの選択」と「該２つ以上のメディアファイルのうちの１つを再生のために自動的に選択する」こととの２つの「選択」があるが、当該請求項１８を引用する請求項１９ないし２１の各請求項における「前記選択」がそのどちらを意味しているのかが不明確であり、請求項１９ないし２１に係る各発明は明確なものでない。
　
　よって、本件出願は、特許請求の範囲の記載が特許法第３６条第６項第２号に規定する要件を満たしていないから、本願補正発明は、特許出願の際独立して特許を受けることができないものである。
　
２−２．特許法第２９条第２項
　本願補正発明において、仮に、「該再生特性のうちの１つ以上」というのは、「ビットレート」を除いた別の再生特性のことを意味し、「該再生特性のうちの１つ以上」と「該２つ以上のメディアファイルのうちの少なくとも１つのビットレート」と「ユーザによる該メディアコンテンツの選択」との３つに基づいて「２つ以上のメディアファイルのうちの１つを再生のために自動的に選択する」することが技術的に理解できるものとした場合について、いわゆる進歩性を有するものであるか否かをさらに検討する。
　
（１）引用例 
　原査定の拒絶の理由に引用された国際公開第２００５／００１８３１号（以下、「引用例」という。）には、「INFORMATION RECORDING MEDIUM AND REPRODUCTION APPARATUS THEREFOR」について、図面とともに以下の各記載がある（なお、引用例である国際公開第２００５／００１８３１号は、国際段階において公表された特表２００７−５２１６０１号公報と基本的に同じであるから、当該公報の記載を翻訳文として付記する。また、下線は当審で付与した。）。 
　ア．「27. A reproduction apparatus for reproducing at least one of first information and second information generated based on the first information, which are recorded on an information recording medium, wherein the information recording medium includes :
　a first recording area for recording the first information and first management information regarding handling of the first information; and
　a second recording area for recording the second information, and second management information regarding handling of the second information,
　the reproduction apparatus comprising:
　a reading section for reading at least one of the first information, the first management information, the second information, and the second management information from the information recording medium;
　a first storage section having, stored therein, at least one of first decryption information for decrypting the first management information, and second decryption information for decrypting the second management information;
　a first decryption section for decrypting at least one of the first management information and the second management information; and
　an output section for outputting at least one of the first information and the second information;
　wherein:
　when the first storage section stores the first decryption information and the first information is to be reproduced,
　　the reading section reads the first management information from the information recording medium,
　　the first decryption section decrypts the first management information based on the first decryption information, and
　　based on the decryption result of the first management information, the reading section reads the first information, and the output section outputs the first information; and
　when the first storage section stores the second decryption information and the second information is to be reproduced,
　　the reading section reads the second management information from the information recording medium,
　　the first decryption section decrypts the second management information based on the second decryption information, and
　　based on the decryption result of the second management information, the reading section reads the second information, and the output section outputs the second information.」（７２頁２８行〜７４頁１４行）
（【請求項２７】
　
情報記録媒体に記録された第一情報および前記第一情報に基づいて生成された第二情報のうちの少なくとも一方を再生する再生装置であって
　
前記情報記録媒体は
　
前記第一情報と前記第一情報の取り扱いに関する第一管理情報とを記録するための第一記録領域と
　
前記第二情報と前記第二情報の取り扱いに関する第二管理情報とを記録するための第二記録領域と
　
を備え
　
前記再生装置は
　
前記第一情報、前記第一管理情報、前記第二情報および前記第二管理情報のうちの少なくとも一つを前記情報記録媒体から読み出す読出し部と
　前記第一管理情報を解読するための第一解読情報、および前記第二管理情報を解読するための第二解読情報のうちの少なくとも一方が格納されている第一格納部と、
　前記第一管理情報および前記第二管理情報のうちの少なくとも一方を解読する第一解読部と、
　
前記第一情報および前記第二情報のうちの少なくとも一方を出力する出力部と
　
を備え
  前記第一格納部に前記第一解読情報が格納されており、且つ前記第一情報を再生する場合には、
　　前記読出し部は前記情報記録媒体から前記第一管理情報を読み出し、
　　前記第一解読部は前記第一解読情報に基づいて前記第一管理情報を解読し、
　　前記第一管理情報を解読した結果に基づいて、前記読出し部は前記第一情報を読み出し、前記出力部は前記第一情報を出力し、
　前記第一格納部に前記第二解読情報が格納されており、且つ前記第二情報を再生する場合には、
　　前記読出し部は前記情報記録媒体から前記第二管理情報を読み出し、
　　前記第一解読部は前記第二解読情報に基づいて前記第二管理情報を解読し、
　　前記第二管理情報を解読した結果に基づいて、前記読出し部は前記第二情報を読み出し、前記出力部は前記第二情報を出力す
る、再生装置
　 
　イ．「37. A reproduction apparatus according to claim 27, wherein :
　the second recording area includes a plurality of pieces of second information;
　the plurality of pieces of second information are different from each other in attribute;
　the reproduction apparatus further includes a selection section for selecting one of the plurality of pieces of second information based on at least one of a reproduction condition and a copying condition; and
　the reading section reads the selected second information.」（７９頁１２〜２３行）
（【請求項３７】
　
前記第二記録領域は、複数の前記第二情報を含み
　
前記複数の第二情報は互いに属性が異なり
　
前記再生装置は、再生条件
に基づいて前記複数の第二情報のうちの一つを選択する選択部をさらに備え
　
前記読出し部は、前記選択された第二情報を読み出す、請求項２７に記載の再生装置
　 
　ウ．「(Example 1)
　An information recording medium according to the present invention is divided into a plurality of areas . Each area includes a management information file, an audio data file, and a copyright management information file. Figure 1 shows a DVD-Audio disc 100 according to a first example of the present invention. The DVD-Audio disc 100 includes a DVD-Audio Zone 101 and an Other Zone 102.
　The DVD-Audio Zone 101 includes, recorded therein, first audio data group files 111 and 112 each including audio data indicating at least one tune, and a first management information file 110 for managing handling of the first audio data group files 111 and 112.
　The Other Zone 102 includes, recorded therein, second audio data files 121, 122 and 123 each representing one tune, a second management information file 120 for managing handling of the second audio data files 121, 122 and 123, and a second copyright management information file 124 for managing handling of a copyright of the tune represented by each of the second audio data files 121, 122 and 123.」（１９頁２１行〜２１頁１５行）
（（実施の形態１）
　
本発明の情報記録媒体は複数の領域に分かれており、それぞれの領域に管理情報ファイルと、音声データファイルと
を備える
　
ＤＶＤ−Ａｕｄｉｏ  Ｚｏｎｅ１０１には、１つ以上の曲を示す音声データを含む第一の音声データ群ファイル１１１、１１２と、その第一の音声データ群ファイル１１１、１１２の取り扱いを管理している第一の管理情報ファイル１１０とが記録されている
　
Ｏｔｈｅｒ  Ｚｏｎｅ１０２には、それぞれが１曲を示す第二の音声データファイル１２１、１２２、１２３と、第二の音声データファイル１２１、１２２、１２３の取り扱いに関する第二の管理情報ファイル１２０と
が記録されている
　 
　エ．「A second audio data file is created from the audio data included in a first audio data group file. Here, the second audio data files 121, 122 and 123 are audio data obtained by converting the corresponding audio data included in the first audio data group files 111 and 112 using a prescribed recording system. For example, the audio data indicating one tune included in the first audio data group file 111 is recorded by a recording system of linear PCM, and that audio data is compressed by a recording system of mp3 to create the second audio data file 121. The second audio data files 121, 122 and 123 may be recorded by different systems. For example, one second audio data file may be recorded by mp3, and another second audio data file may be recorded by a recording system of AAC.」（２１頁２〜１５行）
（
第一の音声データ群ファイルに含まれる音声データから第二の音声データファイルが生成される。ここで、第二の音声データファイル１２１、１２２、１２３は、第一の音声データ群ファイル１１１、１１２に含まれる音声データを所定の記録方式を用いて変換した音声データである。例えば、第一の音声データ群ファイル１１１に含まれる１曲を示す音声データの記録方式がリニアＰＣＭであり、その音声データを記録方式ｍｐ３を用いて圧縮した音声データが第二の音声データファイル１２１である。なお、各第二の音声データファイル間での記録方式は異なっていてもよく、ある第二の音声データファイルは記録方式ｍｐ３を用いて記録されており、別の第二の音声データは記録方式ＡＡＣを用いて記録されていてもよい
　
　オ．「Figure 4A shows an example of specific second management information 320 included in the second management information file 120. The second management information 320 shown in Figure 4A includes general information 321 and second tune information 322 and 323.
　The second tune information 322 indicates the information of the tune indicated by a corresponding second audio data file included in the Other Zone 102. The second tune information 323 also indicates the information of the tune indicated by a corresponding second audio data file included in the Other Zone 102. Each of the second tune information 322 and 323 includes general information 324, link information 325, text information 326, and second audio data file information 327 and 328. The second audio data file information 327 and 328 is related to the second audio data file indicating the corresponding tune. The text information 326 indicates the title, the name of the artist and the like of the corresponding tune. The link information 325 allows the tune in the first audio data group file, from which the corresponding second audio data file was created, to be specified. (Such a tune will also be referred to as tune of origin.)
　　　　　　　　　　　・・・・・・・・・・
　Each of the second audio data file information 327 and 328 includes general information 332, a file name 333, attribute information 334, and an encryption system 335.
　The attribute information 334 indicates the attribute of the audio data (for example, the recording system, compression rate, number of channels, sampling frequency, quantization bit number, bit rate, reproduction time) . The encryption system 335 indicates the information for specifying the encryption system used for encrypting the corresponding file. Different files may be encrypted by different encryption systems . The encryption system 335 may also indicate that the file is encrypted by a plurality of encryption systems (for example, double encryption). For example, an ID (1 byte) for specifying the encryption system is defined as shown in Figure 5 (00h: no encryption; Olh: encrypted by encryption system A; 02h: encrypted by encryption system B; lOh: encrypted by encryption system A and then encrypted by encryption system B; Others: reserved). In this example, in the case where the corresponding second audio data file is first encrypted by encryption system A and then encrypted by encryption system B, the encryption system 335 indicates lOh.
　The encryption system may be included in the second audio data file information, but may be included in second tune copyright management information (which will be described in detail later) .
　One piece of second tune information may manage a plurality of audio data files which are different in the attribute (for example, the recording system, compression rate, number of channels, sampling frequency, quantization bit number, bit rate, reproduction time) . For example, one tune indicated by a first audio data group file (tune of origin) may be compressed by a plurality of recording systems (mp3, AAC, etc.) to produce a plurality of audio data files, which are recorded in the Other Zone 102. The second tune information includes and manages a plurality of pieces of second audio data file information. An example of such management will be described with reference to Figure 8.」（２１頁２５行〜２４頁１５行）
（
第二の管理情報ファイル１２０に含まれている具体的な第二の管理情報の一例を図４Ａに示す。図４Ａに示す第二の管理情報３２０は
第二の曲情報３２２、３２３とを含む
　
第二の曲情報３２２、３２３は
第二の音声データファイル情報３２７、３２８を含む
　　　　　　　・・・・・（中　略）・・・・・
　
第二の音声データファイル情報３２７、３２８は
属性情報３３４と
を含む
　
属性情報３３４は、音声データの属性（例えば、記録方式、圧縮率、チャンネル数、サンプリング周波数、量子化ビット数、ビットレート、再生時間など）を示す
　なお、暗号化方式は、第二の音声データファイル情報に含まれてもよいが、第二の曲著作権管理情報に含まれてもよい（第二の曲著作権管理情報の詳細については後述する）。
　一つの
第二の曲情報は、属性（記録方式、圧縮率、チャンネル数、サンプリング周波数、量子化ビット数、ビットレート、再生時間など）が互いに異なる複数の音声データファイルを管理してもよい。例えば、第一の音声データ群ファイルが示す一つの曲（生成元の曲）から、複数種類の記録方式（ｍｐ３、ＡＡＣ等）のそれぞれで圧縮した複数の音声データファイルを生成し、Ｏｔｈｅｒ  Ｚｏｎｅ１０２に記録してもよい
　
　カ．「As described above, a plurality of audio data files which are different in terms of attribute (or in terms of encryption system or copyright) may be recorded in the Other Zone 102 for one tune recorded in the DVD-Audio Zone 101. Owing to this , the reproduction apparatus can select and use the optimum audio data file among the plurality of audio data files in accordance with various conditions for reproduction or copying. An example in which a plurality of second audio data files recorded by linear PCM, mp3 and AAC are managed using the same second tune information will be described. For reproducing a high quality second audio data file, the reproduction apparatus reproduces the second audio data file recorded by linear PCM. The reproduction apparatus may select the second audio data file which is recorded by a recording system which is reproduceable by the reproduction apparatus. For example, when the reproduction apparatus can reproduce only the audio data recorded by mp3, the reproduction apparatus selects the second audio data file recorded by mp3. In the case where audio data is reproduced by an external device connected to the reproduction apparatus, for example, an amplifier. the reproduction apparatus may select the audio data which is reproduceable by that external device and outputs the selected audio data to the external device. For example, when the external device can reproduce only the audio data recorded by AAC, the reproduction apparatus selects the second audio data file recorded by AAC and outputs the selected audio data to the external device. In the case where the reproduction apparatus is connected to the Internet, a wired LAN, or a wireless LAN and data is to be reproduced by a device connected to the Internet, the wired LAN, or the wireless LAN, the reproduction apparatus may select and output the compressed second audio data file. When a tune is to be reproduced by a plurality of external devices connected to the reproduction apparatus, the compressed second audio data file may be selected and output due to a factor of transfer rate or the like.」（２５頁１３行〜２６頁１６行）
（
このように、ＤＶＤ−Ａｕｄｉｏ  Ｚｏｎｅ１０１に記録された一つの曲に対して、互いに異なる属性
の複数の音声データファイルをＯｔｈｅｒ  Ｚｏｎｅ１０２に記録しておけば、再生
の際に、再生装置は、種々の条件に応じて、複数の音声データファイルの中から最適な音声データファイルを選択して利用することが可能となる。例えば、ある第二の曲情報によって、リニアＰＣＭ、ｍｐ３、ＡＡＣのそれぞれの記録方式で記録された複数の第二の音声データファイルを管理されている場合について説明する。再生装置が高音質な第二の音声データファイルを再生しようとする場合には、記録方式がリニアＰＣＭの第二の音声データファイルを再生する。また、再生装置が再生可能な記録方式を選択して第二の音声データファイルを選択することもある。例えば、再生装置がｍｐ３の音声データのみ再生可能であれば、記録方式がｍｐ３の第二の音声データファイルを選択して再生することになる
　 
　キ．「Figure 22 shows a reproduction apparatus 221, which is another modification of the reproduction apparatus 152. In addition to the elements included in the reproduction apparatus 152, the reproduction apparatus 221 includes an information selection section 222. The Other Zone 102 may include different pieces of attribute information for one tune, for example, a plurality of second data files recorded by different recording systems . The information selection section 222 stores information, rules and the like, such that, when the reproduction apparatus 221 reproduces or copies a second audio data file, optimum audio data can be selected in accordance with the reproduction conditions and copying conditions .
　Rules for reproduction include, for example, a rule by which audio data of a recording system reproduceable by the reproduction apparatus 221 is selected; a rule by which audio data recorded by a higher quality recording system, for example, audio data recorded by linear PCM or audio data having a large data amount, is selected among a plurality of pieces of audio data for the same tune; a rule by which, when audio data is output to be reproduced by an external device, the audio data recorded by a recording system reproduceable by the external device is selected; and a rule by which, when audio data is to be reproduced by an external device connected to the reproduction apparatus 221 via the Internet, wired LAN, wireless LAN or the like, audio data recorded by a compression recording system is selected.
　Rules for copying include, for example, a rule by which audio data recorded by a compression recording system is selected for high speed copying; a rule by which audio data recorded by a recording system compatible with an information recording medium and the system as a copying destination is selected; and a rule by which, when audio data is to be reproduced by an external device connected to the reproduction apparatus 221 via the Internet, wired LAN, wireless LAN or the like, audio data recorded by compression recording system is selected.
　The reproduction apparatus 221 operates as follows for reproducing or copying a tune recorded in the Other Zone 102. The management information decryption section 155 decrypts the attribute information on the tune. The information selection section 222 selects one of the plurality of audio data files in accordance with the rule owned by itself and the decryption result. The reading section 153 reads the selected audio data file.」（５５頁１７行〜５６頁３１行）
（図２２に再生装置１５２の改変例である再生装置２２１を示す。
再生装置２２１は
情報選択部２２２を備える。Ｏｔｈｅｒ  Ｚｏｎｅ１０２には、同一の曲に対して異なる属性情報、例えば異なる記録方式で記録された複数の第二の音声データファイルを記録する場合がある。情報選択部２２２は、再生装置２２１が第二の音声データファイルの再生
を行う際に、その時の再生条件
に応じて最適な音声データを選択するための情報やルールを格納している
　
例えば、再生時のルールとしては、再生装置２２１が再生可能な音声データの記録方式の音声データを選択するルール、同じ曲でも高音質な記録方式、例えばリニアＰＣＭやデータ量の大きい音声データを選択するルール
などがある
　コピー時のルールとしては、例えば、高速コピーを行う時は圧縮記録方式を用いた音声データを選択するルール、記録先の情報記録媒体およびシステムが対応している記録方式の音声データを選択するルール、インターネットや有線ＬＡＮおよび無線ＬＡＮ等を介して他の情報記録媒体に記録する際には圧縮記録方式で記録された音声データを選択するルールなどがある。
　
再生装置２２１は、Ｏｔｈｅｒ  Ｚｏｎｅ１０２に記録された曲を再生
する際、管理情報解読部１５５で該当曲の属性情報を解読する。情報選択部２２２は、自身が有するルールと解読結果とに従って、複数の音声データファイルのうちの一つを選択する。読出部１５３は、その選択された音声データファイル読み出す
　 
　・上記引用例に記載の「INFORMATION RECORDING MEDIUM AND REPRODUCTION APPARATUS THEREFOR（情報記録媒体とその再生装置）」のうちの「REPRODUCTION APPARATUS（再生装置）」は、上記「ア．」の記載事項によれば、情報記録媒体に記録された第一情報および当該第一情報に基づいて生成された第二情報のうちの少なくとも一方を再生する再生装置に関するものであり、情報記録媒体は、第一情報と当該第一情報の取り扱いに関する第一管理情報とを記録するための第一記録領域と、第二情報と当該第二情報の取り扱いに関する第二管理情報とを記録するための第二記録領域とを備え、再生装置は、第一情報、第一管理情報、第二情報および第二管理情報のうちの少なくとも一つを情報記録媒体から読み出す読出し部と、第一情報および第二情報のうちの少なくとも一方を出力する出力部とを備えるものである。
　・上記「ウ．」の記載事項、及びＦＩＧ．１によれば、具体的には、上記「第一情報」は１つ以上の曲を示す音声データを含む第一の音声データ群ファイル、上記「第一管理情報」は第一の管理情報ファイル、上記「第一記録領域」はＤＶＤ−Ａｕｄｉｏ Ｚｏｎｅ、上記「第二情報」はそれぞれが１曲を示す複数の第二の音声データファイル、上記「第二管理情報」は第二の管理情報ファイル、上記「第二記録領域」はＯｔｈｅｒ Ｚｏｎｅである。
　・上記「イ．」、「エ．」〜「キ．」の記載事項によれば、第一の音声データ群ファイルから生成される複数の第二の音声データファイルは、第一の音声データ群ファイルに含まれる一つの曲を示す音声データから生成された、互いに異なる属性（例えば記録方式、圧縮率、チャンネル数、サンプリング周波数、量子化ビット数、ビットレート、再生時間など）の複数の音声データファイルである。
　・上記「オ．」の記載事項、及びＦＩＧ．４Ａによれば、第二の管理情報ファイルは、第二の曲情報を含み、当該第二の曲情報は第二の音声データファイル情報を含み、当該第二の音声データファイル情報は音声データの属性（例えば記録方式、圧縮率、チャンネル数、サンプリング周波数、量子化ビット数、ビットレート、再生時間など）を示す属性情報を含む、つまり、第二の管理情報ファイルは複数の第二の音声データファイルそれぞれに含まれる音声データ（曲）の属性情報を含むものである。
　・上記「イ．」、「カ．」、「キ．」の記載事項、ＦＩＧ．２２によれば、再生装置は、第二の音声データファイルの再生を行う際にその時の再生条件であるルールを格納しており、当該ルールと第二の管理情報ファイルに含まれる属性情報の解読結果とに従って複数の第二の音声データファイルの中から最適な音声データファイルの一つを選択する情報選択部をさらに備え、読出し部は、選択された音声データファイルを読み出すものである。
　そして、上記再生時のルールとしては、例えば、再生装置が再生可能な音声データの記録方式の音声データを選択するルール、同じ曲でも高音質な音声データを選択するルールなどがある。
　
　したがって、特にＦＩＧ．２２に示される再生装置に着目し、当該再生装置の動作を方法の発明として捉え、上記記載事項及び図面を総合勘案すると、引用例には、次の発明（以下、「引用発明」という。）が記載されている。 
「情報記録媒体に記録された１つ以上の曲を示す音声データを含む第一の音声データ群ファイルおよび当該第一の音声データ群ファイルから生成された、それぞれが１曲を示す複数の第二の音声データファイルのうちの少なくとも一方を再生する再生装置を動作する方法であって、
　前記情報記録媒体は、前記第一の音声データ群ファイルと当該第一の音声データ群ファイルの取り扱いに関する第一の管理情報ファイルとを記録するための第一記録領域（ＤＶＤ−Ａｕｄｉｏ Ｚｏｎｅ）と、複数の前記第二の音声データファイルと当該第二の音声データファイルの取り扱いに関する第二の管理情報ファイルとを記録するための第二記録領域（Ｏｔｈｅｒ Ｚｏｎｅ）とを備え、
　前記第一の音声データ群ファイルから生成される複数の前記第二の音声データファイルは、前記第一の音声データ群ファイルに含まれる一つの曲を示す音声データから生成された、互いに異なる属性（例えば記録方式、圧縮率、チャンネル数、サンプリング周波数、量子化ビット数、ビットレート、再生時間など）の複数の音声データファイルであり、
　前記第二の管理情報ファイルは、前記第二の音声データファイルそれぞれに含まれる音声データの属性（例えば記録方式、圧縮率、チャンネル数、サンプリング周波数、量子化ビット数、ビットレート、再生時間など）を示す属性情報を含み、
　前記第二の音声データファイルの再生を行う際にその時の再生条件であるルール（例えば、再生装置が再生可能な音声データの記録方式の音声データを選択するルール、同じ曲でも高音質な音声データを選択するルールなど）を格納しており、当該ルールと前記第二の管理情報ファイルに含まれる前記属性情報の解読結果とに従って複数の前記第二の音声データファイルの中から最適な音声データファイルの一つを選択し、選択された音声データファイルを読み出し出力することにより音声データを再生する方法。」 
　 
（２）対比 
　そこで、本願補正発明と引用発明とを対比すると、 
　ア．引用発明における「情報記録媒体に記録された１つ以上の曲を示す音声データを含む第一の音声データ群ファイルおよび当該第一の音声データ群ファイルから生成された、それぞれが１曲を示す複数の第二の音声データファイルのうちの少なくとも一方を再生する再生装置を動作する方法であって」によれば、
　引用発明の「再生装置」は音声データ、つまり曲であるメディアコンテンツを再生するための装置であり、本願補正発明でいう「メディアシステム」に相当するということができ、
　本願補正発明と引用発明とは、「メディアシステムを動作する方法であって」の点で一致するといえる。
　
　イ．引用発明における「属性（例えば記録方式、圧縮率、チャンネル数、サンプリング周波数、量子化ビット数、ビットレート、再生時間など）」は、本願補正発明でいう「再生特性」に相当し、
　引用発明における「前記情報記録媒体は、前記第一の音声データ群ファイルと当該第一の音声データ群ファイルの取り扱いに関する第一の管理情報ファイルとを記録するための第一記録領域（ＤＶＤ−Ａｕｄｉｏ Ｚｏｎｅ）と、複数の前記第二の音声データファイルと当該第二の音声データファイルの取り扱いに関する第二の管理情報ファイルとを記録するための第二記録領域（Ｏｔｈｅｒ Ｚｏｎｅ）とを備え、前記第一の音声データ群ファイルから生成される複数の前記第二の音声データファイルは、前記第一の音声データ群ファイルに含まれる一つの曲を示す音声データから生成された、互いに異なる属性（例えば記録方式、圧縮率、チャンネル数、サンプリング周波数、量子化ビット数、ビットレート、再生時間など）の複数の音声データファイルであり」によれば、
　引用発明における「複数の第二の音声データファイル」は、第一の音声データ群ファイルに含まれる一つの曲を示す音声データから生成された、互いに異なる属性（例えば記録方式、圧縮率、チャンネル数、サンプリング周波数、量子化ビット数、ビットレート、再生時間など）の複数の音声データファイルであり、異なる属性を伴う実質的に同一の音声データ（つまり曲）を有する複数の音声データファイルであるから、本願補正発明における「２つ以上のメディアファイル」に相当するといえ、
　本願補正発明と引用発明とは、「異なる再生特性を伴う実質的に同一のメディアコンテンツを有する２つ以上のメディアファイルを提供すること」を包含するものである点で一致する。
　
　ウ．引用発明における「前記第二の管理情報ファイルは、前記第二の音声データファイルにそれぞれに含まれる音声データの属性（例えば記録方式、圧縮率、チャンネル数、サンプリング周波数、量子化ビット数、ビットレート、再生時間など）を示す属性情報を含み」によれば、
　引用発明における「第二の管理情報ファイル」は、複数の第二の音声データファイルそれぞれ含まれる音声データ毎の互いに異なる属性（本願補正発明における「再生特性」）の情報を格納するものであることから、本願補正発明でいう「データベース」に相当するものであるとみることができ、
　本願補正発明と引用発明とは、「該２つ以上のメディアファイルの該異なる再生特性のうちの少なくとも一部は、データベースに格納される」ことを包含するものである点で一致するといえる。
　
　エ．引用発明における「前記第二の音声データファイルの再生を行う際にその時の再生条件であるルール（例えば、再生装置が再生可能な音声データの記録方式の音声データを選択するルール、同じ曲でも高音質な音声データを選択するルールなど）を格納しており、当該ルールと前記第二の管理情報ファイルに含まれる前記属性情報の解読結果とに従って複数の前記第二の音声データファイルの中から最適な音声データファイルの一つを選択し、選択された音声データファイルを読み出し出力することにより音声データを再生する」によれば、
　複数の第二の音声データファイルの中からの最適な音声データファイルの一つの選択は、再生時のルール（例えば、再生装置が再生可能な音声データの記録方式の音声データを選択するルール、同じ曲でも高音質な音声データを選択するルールなど）と第二の管理情報ファイルに含まれる属性（本願補正発明における「再生特性」）の情報とに従うものであって、少なくとも記録方式などの属性に基づいて（を用いて）自動的に行われるものであることは明らかであり、
　本願補正発明と引用発明とは、後述の相違点はあるものの「少なくとも該再生特性のうちの１つ以上に基づいて、該２つ以上のメディアファイルのうちの１つを再生のために自動的に選択すること」を包含するものである点で共通するということができる。
　
　よって、本願補正発明と引用発明とは、 
「メディアシステムを動作する方法であって、該方法は、
　異なる再生特性を伴う実質的に同一のメディアコンテンツを有する２つ以上のメディアファイルを提供することであって、該２つ以上のメディアファイルの該異なる再生特性のうちの少なくとも一部は、データベースに格納される、ことと、
　少なくとも該再生特性のうちの１つ以上に基づいて、該２つ以上のメディアファイルのうちの１つを再生のために自動的に選択することと
　を包含する、方法。」 
である点で一致し、以下の点で相違する。 
　
［相違点］　 
　２つ以上のメディアファイルのうちの１つを再生のために自動的に選択することについて、本願補正発明では、「該再生特性のうちの１つ以上」に加えて「該２つ以上のメディアファイルのうちの少なくとも１つのビットレートと、ユーザによる該メディアコンテンツの選択」とに基づいて行われる旨特定するのに対し、引用発明では、そのような特定を有していない点。
　
（３）判断 
　上記相違点について検討する。 
　本願補正発明における「該再生特性のうちの１つ以上と、該２つ以上のメディアファイルのうちの少なくとも１つのビットレートと、ユーザによる該メディアコンテンツの選択とに基づいて、該２つ以上のメディアファイルのうちの１つを再生のために自動的に選択すること」の正確な技術的意味について、特に明細書の段落【００４２】、【００４７】の「４．」の記載部分、【００５８】、及び図８を参照するに、まず、ユーザが再生したい所望のメディアコンテンツの選択をジャンル等を用いて行い、これによって選択されたメディアコンテンツが実質的に同一の複数のコンテンツを有する場合には、個々の再生特性（少なくともビットレートと、ビットレートを除いた別の再生特性の１つ以上）に基づいて最終的に再生する１つを自動的に選択することであると解されるところ、
　引用例には、まず、ユーザが再生したい所望のメディアコンテンツの選択をジャンルやアーティスト名等を用いて行うことの明記はなされていないが、所望のメディアコンテンツである音声データ（曲）を再生しようとする際、ジャンル等を用いてユーザによる選択を行うことは、例えば特開２０００−１７３１５４号公報（段落【０００２】〜【０００３】を参照）、特開２００２−５０１６０号公報（特に段落【００２３】〜【００２７】を参照）に記載のように周知の技術事項であり、引用発明においても、かかる周知の技術事項を採用することは当業者であれば適宜なし得ることである。
　そして引用発明においても、ユーザによる選択の結果、互いに異なる属性（例えば記録方式、圧縮率、チャンネル数、サンプリング周波数、量子化ビット数、ビットレート、再生時間など）の複数の音声データファイル（音声データ、つまり曲）があった場合には、その属性に基づいて最適な音声データファイルの一つの選択が自動的に行われることになるが、引用例にはその際のルールとして、(a)再生装置が再生可能な音声データの記録方式の音声データを選択するルール、(b)同じ曲でも高音質な音声データを選択するルールなどが例示されており、(a)のルールは上記属性のうちの記録方式（つまり、圧縮符号化方式）に基づくものであり、これは本願補正発明でいう「該再生特性のうちの１つ以上」にあたり、一方、(b)のルールはより高音質なものを選択するものであるところ、例えば原査定の拒絶の理由に引用された特開２００３−１１０４４８号公報（特に【請求項４】、段落【０００９】を参照）に記載のように、音質はビットレートと相関があることは当業者にとって技術常識ともいえる周知の技術事項であって、上記属性のうちのビットレートに着目してこれに基づいて選択するようにすることはごく普通に想到し得ることであり、引用発明において、さらにこれら２つのルールを同時に（組み合わせて）用いるようにすることも当業者であれば適宜なし得ることである。
　よって、引用発明においても、複数の第二の音声データファイルの中からの最適な音声データファイルの一つの自動的な選択を、本願補正発明と同様、「属性（再生特性）のうちの１つ以上」に加えて「ビットレート」と「ユーザによるメディアコンテンツの選択」とに基づいて行うようにすることは当業者であれば容易に想到し得たことある。
　
　そして、本願補正発明が奏する効果についてみても、引用発明及び周知の技術事項から当業者が予測できたものであって、格別顕著なものがあるとはいえない。 
　 
（４）むすび 
　以上のとおり、本願補正発明は、引用発明及び周知の技術事項に基づいて当業者が容易に発明をすることができたものであるから、特許法第２９条第２項の規定により、特許出願の際独立して特許を受けることができないものである。 
　
３．本件補正についてのむすび
　したがって、本件補正は、特許法第１７条の２第６項において準用する同法第１２６条第７項の規定に違反するものであるから、同法第１５９条第１項で読み替えて準用する同法第５３条第１項の規定により却下すべきものである。 
　
第３．本願発明について 
　平成２６年６月３日付けの手続補正は上記のとおり却下されたので、本願の請求項２０に係る発明（以下、「本願発明」という。）は、平成２５年７月３０日付け手続補正書の特許請求の範囲の請求項２０に記載された、次のとおりのものである。 
「【請求項２０】
　メディアシステムを動作する方法であって、該方法は、
　異なる再生特性を伴う実質的に同一のメディアコンテンツを有する２つ以上のメディアファイルを提供することであって、該２つ以上のメディアファイルの該異なる再生特性のうちの少なくとも一部は、データベースに格納される、ことと、
　該再生特性のうちの１つ以上に基づいて、該２つ以上のメディアファイルのうちの１つを再生のために選択することと
　を包含する、方法。」
 　 
１．引用例 
　原査定の拒絶の理由で引用された引用例及びその記載事項は、前記「第２．２−２．（１）」に記載したとおりである。 
 　 
２．対比・判断 
　本願発明は、前記「第２．２−２．」で検討した本願補正発明の発明特定事項である「２つ以上のメディアファイルのうちの１つを再生のために選択すること」について、「該再生特性のうちの１つ以上」に加えてさらに「該２つ以上のメディアファイルのうちの少なくとも１つのビットレートと、ユーザによる該メディアコンテンツの選択」とに基づいて、「自動的に」行われる旨の限定を省いたものに相当する。 
　そうすると、本願発明の発明特定事項を全て含み、更に他の限定事項を付加したものに相当する本願補正発明が前記「第２．２−２．（３）」に記載したとおり、引用発明及び周知の技術事項に基づいて当業者が容易に発明をすることができたものであるから、本願補正発明から周知の技術事項に相当する上記特定（限定）事項の一部を省いた本願発明も、同様の理由により、引用発明に基づいて当業者が容易に発明をすることができたものである。
　
３．むすび 
　以上のとおり、本願の請求項２０に係る発明は、特許法第２９条第２項の規定により特許を受けることができないものであるから、その余の請求項について論及するまでもなく、本願は拒絶すべきものである。 
　よって、結論のとおり審決する。